(57)【要約】【課題】小型なブラシ装置および、小型で整流性に優れた回転電機を提供する。【解決手段】正極ターミナルプレート７０と負極ターミナルプレート８０は、各々、Ｃ字状に形成されている。正極ターミナルプレート７０の導通接続部７２、７４は、負極ターミナルプレート８０の本体部８０Ａと負極ターミナルプレート８０の導通接続部８２、８４との間に配され、負極ターミナルプレート８０の導通接続部８２、８４は、正極ターミナルプレート７０の本体部７０Ａと正極ターミナルプレート７０の導通接続部７２、７４との間に配される。そのため、正極ターミナルプレート７０に電気的に接続される正極ブラシ部材５０と負極ターミナルプレートに電気的に接続される負極ブラシ部材５６とを周方向に交互に配置した場合であっても、ブラシ装置４０は、径方向に大型化することはなり、始動用電動機Ｍは、小型化される。【選択図】図３
2010166785.tif 000002
【特許請求の範囲】
【請求項１】
第１のターミナルプレートと、前記第１のターミナルプレートに近接する位置に配置された第２のターミナルプレートと、前記第１のターミナルプレートと前記第２のターミナルプレートとを有する絶縁性のブラシホルダと、前記第１のターミナルプレートに電気的に接続される複数の第１のブラシ部材と、前記第２のターミナルプレートに電気的に接続される複数の第２のブラシ部材と、前記ブラシホルダ上に形成され、前記第１のブラシ部材と前記第２のブラシ部材とを周方向に交互に収容する複数個のブラシ収容部とを有する回転電機のブラシ装置において、
前記第１のターミナルプレートは、平面視Ｃ字状に形成された金属板であって、第１の本体部と、前記第１の本体部の両側から延出形成された一対の第１の脚部と、前記第１の脚部の先端に形成された前記第１の導通接続部とを有しており、
前記第２のターミナルプレートは、平面視Ｃ字状に形成された金属板であって、第２の本体部と、前記第２の本体部の両側から延出形成された一対の第２の脚部と、前記第２の脚部の先端に形成された前記第２の導通接続部とを有しており、
前記第１のターミナルプレートの前記第１の本体部は、前記第２のターミナルプレートの前記第２の本体部と対向する位置に配置されており、
前記第１のターミナルプレートの前記第１の導通接続部は、前記第２のターミナルプレートの前記第２の本体部と前記第２のターミナルプレートの前記第２の導通接続部との間に配されており、
前記第２のターミナルプレートの前記第２の導通接続部は、前記第１のターミナルプレートの前記第１の本体部と前記第１のターミナルプレートの前記第１の導通接続部との間に配されていることを特徴とすることを特徴とする回転電機のブラシ装置。
【請求項２】
請求項１に記載された回転電機のブラシ装置において、
前記第１のターミナルプレートの前記第１の導通接続部は、前記第２のターミナルプレートの前記第２の脚部の間に配されており、
前記第２のターミナルプレートの前記第２の導通接続部は、前記第１のターミナルプレートの前記第１の脚部の間に配されていることを特徴とする回転電機のブラシ装置。
【請求項３】
請求項１または請求項２に記載された回転電機のブラシ装置において、
前記第１のターミナルプレートの前記第１の導通接続部は、前記第２のターミナルプレートの前記第２の導通接続部が配置された仮想平面上に配置されており、前記第１の導通接続部と前記第２の導通接続部とは、同一の円周上に配置されていることを特徴とする回転電機のブラシ装置。
【請求項４】
請求項３に記載された回転電機のブラシ装置において、
前記第１のターミナルプレートの前記第１の脚部は、前記第１の本体部と前記第１の導通接続部との間に屈曲形成された第１の屈曲部と、前記第１の本体部と前記第１の屈曲部との間に形成され、前記第１の本体部が配置された仮想平面上に配置された第１の基端部とを有しており、
前記第２のターミナルプレートの前記第２の脚部は、前記第２の本体部と前記第２の導通接続部との間に屈曲形成された第２の屈曲部と、前記第２の本体部と前記第２の屈曲部との間に形成され、前記第１の本体部が配置された仮想平面上に配置される第２の基端部とを有していることを特徴とする回転電機のブラシ装置。
【請求項５】
請求項４に記載された回転電機のブラシ装置において、
前記第２のターミナルプレートの前記第２の屈曲部は、前記第１のターミナルプレートの前記第１の脚部の外側に配され、前記第２のターミナルプレートの前記第２の先端部は、前記第１のターミナルプレートの前記第１の基端部を跨いでおり、
前記第２のターミナルプレートの前記第２の導通接続部は、前記第１のターミナルプレートの前記第１の脚部の間に配置され、
前記第１のターミナルプレートの前記第１の導通接続部は、前記第２のターミナルプレートの前記第２の脚部の間に配置されることを特徴とする回転電機のブラシ装置。
【請求項６】
請求項４に記載された回転電機のブラシ装置において、
前記第１のターミナルプレートの一方の前記第１の先端部は、前記第２のターミナルプレートの一方の前記第２の基端部を跨ぎ、
前記第２のターミナルプレートの他方の前記第２の先端部は、前記第１のターミナルプレートの他方の前記第１の基端部を跨ぎ、
前記第２のターミナルプレートの前記第２の導通接続部は、前記第１のターミナルプレートの前記第１の脚部の間に配置され、
前記第１のターミナルプレートの前記第１の導通接続部は、前記第２のターミナルプレートの前記第２の脚部の間に配置されることを特徴とする回転電機のブラシ装置。
【請求項７】
請求項１から請求項６のいずれか１項に記載された回転電機のブラシ装置において、
前記ブラシ装置は、前記第１のターミナルプレートと前記第２のターミナルプレートとを含んで、インサート成形されていることを特徴とする回転電機のブラシ装置。
【請求項８】
請求項１から請求項７のいずれか１項に記載された回転電機のブラシ装置と、前記ブラシ装置が固定されるハウジングと、前記ハウジングに回転自在に支持される回転子とを有する回転電機。
【請求項９】
請求項８に記載された回転電機において、
前記回転電機は、外部電源と電気的に接続された前記第１のターミナルプレートと、前記ハウジングと電気的に接続された前記第２のターミナルプレートとを有することを特徴とする回転電機。
【請求項１０】
請求項９に記載された回転電機において、
前記回転子は、前記第１のブラシと前記第２のブラシとが摺接する円盤形状のディスクコンミテータと、多数のティース部を有するロータコアと、前記ディスクコンミテータと前記ロータコアのティース部とに短節巻で巻装されたコイルとを有し、
前記ハウジングは、Ｎ極に着磁された３個の第１のマグネットとＳ極に着磁された３個の第２のマグネットを備えたヨークと、小型に形成された前記ブラシ装置が固定されるリアブラケットとを有し、
前記ブラシ装置は、前記ディスクコンミテータに当接する３個の前記第１のブラシと、前記ディスクコンミテータに当接する３個の前記第２のブラシとを有することを特徴とする回転電機。
【発明の詳細な説明】
【技術分野】
【０００１】
本発明は、回転電機のブラシ装置および回転電機に関し、特に、ディスクコンミテータを用いた回転電機のブラシ装置および回転電機に関する。
【背景技術】
【０００２】
回転電機、例えば始動用電動機として、アマチュアと、アマチュアを回転自在に支持するブラケットと、ブラケットに固定されるステータとを備えたものが知られている。この種の始動用電動機において、アマチュアは、アマチュアの軸線方向の端部に取り付けられるコンミテータと、ロータコアと、コンミテータとロータコアが圧入された回転軸とを有している。ステータは、マグネットを備えたヨークであって、ブラケットは、ヨークの一方の開口周縁部に固定され、回転軸の一方の端部を回転自在に支持するリアブラケットと、ヨークの他方の開口周縁部に固定され、回転軸の他方の端部を回転自在に支持するフロントブラケットとを有している。なお、リアブラケットには、コンミテータと摺接するブラシが収容されるブラシホルダが固定されている（例えば、特許文献１、２）。
【０００３】
一般に、コンミテータと摺接するブラシの数を増加させると、整流性が向上し、ブラシの寿命が長期化する。しかしながら、ブラシの数を増加させるに従い、ブラシに電流を供給する給電板（正極ターミナルプレート）とアース端子（負極ターミナルプレート）とは、電気的に短絡しやすくなる。
【０００４】
これに対して、特許文献３に記載された始動用電動機のブラシホルダでは、樹脂製のブラシホルダと、ブラシホルダに固定された給電板（正極ターミナルプレート）と、アース端子（負極ターミナルプレート）と、給電板に接続された３個のプラス側ブラシと、アース端子に接続された３個のマイナス側ブラシとを有している。アース端子は、給電板が配置された位置から軸方向に離れた位置に配置されている。そのため、３個のプラス側ブラシと３個のマイナス側ブラシとを周方向において交互に配置した上で、アース端子は、給電板と電気的に短絡することなく配置される。（例えば、特許文献３）
【先行技術文献】
【特許文献】
【０００５】
【特許文献１】特開２００３−３２４９０８号公報
【特許文献２】特開２００４−３０４９４６号公報
【特許文献３】特開２００３−２８９６５１号公報
【発明の概要】
【発明が解決しようとする課題】
【０００６】
しかしながら、上述の実施形態では、アース端子は、給電板が配置された位置から軸方向において離れた位置に配置されるため、ブラシホルダの軸線方向における寸法は、長くなる。すなわち、始動用電動機の軸線方向における寸法が長くなり、始動用電動機の小型化は阻害されてしまう。
【０００７】
さらに、上述の実施形態において、ブラシは、ピグテールを有しており、プラス側ブラシのピグテールは、径方向外側に引き出され、給電板に接続され、マイナス側ブラシのピグテールは、径方向外側に引き出され、アース端子に接続される。そのため、ブラシホルダの径方向における寸法は、長くなる。すなわち、始動用電動機の径方向における寸法が長くなり、始動用電動機の小型化は阻害されてしまう。
【０００８】
本発明が解決しようとする課題は、給電板（正極ターミナルプレート）と、アース端子（負極ターミナルプレート）との電気的な短絡を回避し、３個のプラス側ブラシ（正極ブラシ部材）と３個のマイナス側ブラシ（負極ブラシ部材）とを周方向に交互に配置することができる小型のブラシホルダ（ブラシ装置）および、これを備えた始動用電動機を提供することにある。
【課題を解決するための手段】
【０００９】
第１の発明は、第１のターミナルプレートと、第１のターミナルプレートに近接する位置に配置された第２のターミナルプレートと、第１のターミナルプレートと第２のターミナルプレートとを有する絶縁性のブラシホルダと、第１のターミナルプレートに電気的に接続される複数の第１のブラシ部材と、第２のターミナルプレートに電気的に接続される複数の第２のブラシ部材と、ブラシホルダ上に形成され、第１のブラシ部材と第２のブラシ部材とを周方向に交互に収容する複数個のブラシ収容部とを有する回転電機のブラシ装置において、第１のターミナルプレートは、平面視Ｃ字状に形成された金属板であって、第１の本体部と、第１の本体部の両側から延出形成された一対の第１の脚部と、第１の脚部の先端に形成された第１の導通接続部とを有しており、第２のターミナルプレートは、平面視Ｃ字状に形成された金属板であって、第２の本体部と、第２の本体部の両側から延出形成された一対の第２の脚部と、第２の脚部の先端に形成された第２の導通接続部とを有しており、第１のターミナルプレートの第１の本体部は、第２のターミナルプレートの第２の本体部と対向する位置に配置されており、第１のターミナルプレートの第１の導通接続部は、第２のターミナルプレートの第２の本体部と第２のターミナルプレートの第２の導通接続部との間に配されており、第２のターミナルプレートの第２の導通接続部は、第１のターミナルプレートの第１の本体部と第１のターミナルプレートの第１の導通接続部との間に配されていることを特徴とすることを特徴とする回転電機のブラシ装置である。
【００１０】
第２の発明は、第１の発明による回転電機のブラシ装置において、第１のターミナルプレートの第１の導通接続部は、第２のターミナルプレートの第２の脚部の間に配されており、第２のターミナルプレートの第２の導通接続部は、第１のターミナルプレートの第１の脚部の間に配されていることを特徴とする回転電機のブラシ装置である。
【００１１】
第３の発明は、第１または第２の発明による回転電機のブラシ装置において、第１のターミナルプレートの第１の導通接続部は、第２のターミナルプレートの第２の導通接続部が配置された仮想平面上に配置されており、第１の導通接続部と第２の導通接続部とは、同一の円周上に配置されていることを特徴とする回転電機のブラシ装置である。
【００１２】
第４の発明は、第の発明による回転電機のブラシ装置において、第１のターミナルプレートの第１の脚部は、第１の本体部と第１の導通接続部との間に屈曲形成された第１の屈曲部と、第１の本体部と第１の屈曲部との間に形成され、第１の本体部が配置された仮想平面上に配置された第１の基端部とを有しており、第２のターミナルプレートの第２の脚部は、第２の本体部と第２の導通接続部との間に屈曲形成された第２の屈曲部と、第２の本体部と第２の屈曲部との間に形成され、第１の本体部が配置された仮想平面上に配置される第２の基端部とを有していることを特徴とする回転電機のブラシ装置である。
【００１３】
第５の発明は、第４の発明による回転電機のブラシ装置において、第２のターミナルプレートの第２の屈曲部は、第１のターミナルプレートの第１の脚部の外側に配され、第２のターミナルプレートの第２の先端部は、第１のターミナルプレートの第１の基端部を跨いでおり、第２のターミナルプレートの第２の導通接続部は、第１のターミナルプレートの第１の脚部の間に配置され、第１のターミナルプレートの第１の導通接続部は、第２のターミナルプレートの第２の脚部の間に配置されることを特徴とする回転電機のブラシ装置である。
【００１４】
第６の発明は、第４の発明による回転電機のブラシ装置において、第１のターミナルプレートの一方の第１の先端部は、第２のターミナルプレートの一方の第２の基端部を跨ぎ、第２のターミナルプレートの他方の第２の先端部は、第１のターミナルプレートの他方の第１の基端部を跨ぎ、第２のターミナルプレートの第２の導通接続部は、第１のターミナルプレートの第１の脚部の間に配置され、第１のターミナルプレートの第１の導通接続部は、第２のターミナルプレートの第２の脚部の間に配置されることを特徴とする回転電機のブラシ装置である。
【００１５】
第７の発明は、第１から第６のいずれかの発明による回転電機のブラシ装置において、ブラシ装置は、第１のターミナルプレートと第２のターミナルプレートとを含んで、インサート成形されていることを特徴とする回転電機のブラシ装置である。
【００１６】
第８の発明は、第１から第７のいずれかの発明による回転電機のブラシ装置と、ブラシ装置が固定されるハウジングと、ハウジングに回転自在に支持される回転子とを有する回転電機である。
【００１７】
第９の発明は、第８の発明による回転電機において、回転電機は、外部電源と電気的に接続された第１のターミナルプレートと、ハウジングと電気的に接続された第２のターミナルプレートとを有することを特徴とする回転電機である。
【００１８】
第１０の発明は、第９の発明による回転電機において、回転子は、第１のブラシと第２のブラシとが摺接する円盤形状のディスクコンミテータと、多数のティース部を有するロータコアと、ディスクコンミテータとロータコアのティース部とに短節巻で巻装されたコイルとを有し、ハウジングは、Ｎ極に着磁された３個の第１のマグネットとＳ極に着磁された３個の第２のマグネットを備えたヨークと、小型に形成されたブラシ装置が固定されるリアブラケットとを有し、ブラシ装置は、ディスクコンミテータに当接する３個の第１のブラシと、ディスクコンミテータに当接する３個の第２のブラシとを有することを特徴とする回転電機である。
【発明の効果】
【００１９】
第１の発明によると、第１のターミナルプレートと第２のターミナルプレートは、各々、Ｃ字状に形成されている。第１のターミナルプレートの導通接続部は、第２のターミナルプレートの本体部と第２のターミナルプレートの導通接続部との間に配され、第２のターミナルプレートの導通接続部は、第１のターミナルプレートの本体部と第１のターミナルプレートの導通接続部との間に配される。そのため、第１のターミナルプレートの導通接続部と、第２のターミナルプレートの導通接続部は、各々、ブラシ収容部の間に配することができる。したがって、第1のターミナルプレートと第２のターミナルプレートとの電気的な短絡を回避した上で、第１のターミナルプレートに電気的に接続されるブラシ部材と第２のターミナルプレートに電気的に接続されるブラシ部材とを周方向に交互に配置した場合であっても、ブラシ装置は、径方向に大型化することはない。
【００２０】
第２の発明によると、第１のターミナルプレートの導通接続部は、第２のターミナルプレートの脚部の間に配され、第２のターミナルプレートの導通接続部は、第１のターミナルプレートの脚部の間に配置されている。そのため、第１のターミナルプレートの導通接続部は、第２のターミナルプレートの脚部と軸方向において重なることなく配置され、第２のターミナルプレートの導通接続部は、第１のターミナルプレートの脚部と軸方向において重なることなく配置される。したがって、ブラシホルダに第１のターミナルプレートと第２のターミナルプレートとを固定した後であっても、第１のターミナルプレートの導通接続部と第２のターミナルプレートの導通接続部とは、各々、ブラシ部材とスポット溶接により接続することができる。
【００２１】
第３の発明によると、第１のターミナルプレートの導通接続部と第２のターミナルプレートの導通接続部とは、同一の平面上に配置される。すなわち、第１のブラシ部材が第１のターミナルプレートの導通接続部とスポット溶接される軸方向における位置と、第２のブラシ部材が第２のターミナルプレートの導通接続部とスポット溶接される軸方向における位置とは、同一になる。また、第1のターミナルプレートの導通接続部と第２のターミナルプレートの導通接続部とは、同一の円周上に配置される。すなわち、ブラシホルダの中心位置から、第１のブラシ部材が第１のターミナルプレートの導通接続部とスポット溶接される位置まで距離と、ブラシホルダの中心位置から、第２のブラシ部材が第２のターミナルプレートの導通接続部とスポット溶接される位置まで距離とは、等しくなる。したがって、第1のターミナルプレートの導通接続部とブラシ部材とのスポット溶接作業と、第２のターミナルプレートの導通接続部とブラシ部材とのスポット溶接作業とを容易にすることができる。
【００２２】
第４の発明によると、第１のターミナルプレートの基端部と、第２のターミナルプレートの基端部とが同一平面上に配置されている。したがって、第１のターミナルプレートと第２のターミナルプレートとの絶縁性を確保した上で、ブラシ装置の軸方向における寸法を短くすることができる。
【００２３】
第５の発明によると、第２のターミナルプレートは、第１のターミナルプレートの脚部の外側に配置されており、第２のターミナルプレートの先端部は、第１のターミナルプレートの脚部を跨いでいる。したがって、第１のターミナルプレートと第２のターミナルプレートとの絶縁性を確保した上で、ブラシ装置の径方向における寸法を短くすることができる。
【００２４】
第６の発明によると、第２のターミナルプレートの一方の先端部は、第１のターミナルプレートの一方の脚部を跨いでおり、第１のターミナルプレートの他方の先端部は、第２のターミナルプレートの他方の脚部を跨いでいる。したがって、第１のターミナルプレートと第２のターミナルプレートとの絶縁性を確保し、ブラシ装置の径方向における寸法を短くした上で、第１のターミナルプレートと第２のターミナルプレートの形状を同一にすることができる。すなわち、第１のターミナルプレートと第２のターミナルプレートとは、歩留まり良く生産される。さらに、部品の種類を減らすことができるため、部品管理が容易になる。
【００２５】
第７の発明によると、ブラシ装置は、第１のターミナルプレートと第２のターミナルプレートとを含んで、インサート成形されている。したがって、ブラシホルダに第１のターミナルプレートと第２のターミナルプレートと組み付ける必要がなくなり、組み付け工数を削減することができる。
【００２６】
第８の発明によると、回転電機は、小型化されたブラシ装置を有している。したがって、小型化された回転電機を提供することができる。
【００２７】
第９の発明によると、第１のターミナルプレートは、外部電源と電気的に接続され、第２のターミナルプレートは、ハウジングと電気的に接続されている。したがって、外部電源と電気的に接続された第１のターミナルプレートが、リアブラケットの内周面から離れた位置に配置されるため、安全性に優れた回転電機を提供することができる。
【００２８】
請求項１０に記載された発明によると、回転電機は、６個のマグネットと、６個のブラシと、多数のティース部が形成されたロータコアと、ディスクコンミテータと、ロータコアのティース部とディスクコンミテータに短節巻で巻装されたコイルと、小型のリアブラケットとを有している。したがって、小型でかつ、整流性に優れた回転電機を提供することができる。
【図面の簡単な説明】
【００２９】
【図１】本発明による回転電機のブラシ装置を始動用電動機に適用した第１の実施形態を示す半断面図である。
【図２】図１のＩＩ−ＩＩ断面図である。
【図３】本発明による第１の実施形態を示す図２のＢ−Ｂ断面図である。
【図４】本発明による第１の実施形態を示すブラシホルダの正面図である。
【図５】本発明による第１の実施形態を示す正極ターミナルプレートと負極ターミナルプレートとの配置を示す正面図である。
【図６】図５のＸ矢視図である。
【図７】本発明の第１の実施形態による正極ターミナルプレートの斜視図である。
【図８】本発明の第１の実施形態による負極ターミナルプレートの斜視図である。
【図９】本発明の第２の実施形態を示す正極ターミナルプレートの正面図である。
【図１０】本発明の第２の実施形態を示す負極ターミナルプレートの正面図である。
【図１１】本発明の第３の実施形態を示す正極ターミナルプレートと負極ターミナルプレートとの正面図である。
【図１２】本発明の第４の実施形態を示すブラシ装置のＢ−Ｂ断面図である。
【発明を実施するための形態】
【００３０】
以下に、本発明による回転電機のブラシ装置を始動用電動機に適用した第１の実施形態を、図１から図８を参照して説明する。
【００３１】
図１は、第１の実施形態の始動用電動機Ｍの全体構成を示している。始動用電動機Ｍは、車両のエンジン（不図示）に固定されるモータハウジング（ハウジング）１６と、モータハウジング１６に回転自在に支持される回転子３０とを有している。モータハウジング１６は、複数の永久磁石１８を備えた円筒形状のヨーク１０と、ヨーク１０の一方の開口周縁部１０ａに固定され、給電部Ｅとブラシ装置４０とを有するリアブラケット１４と、ヨーク１０の他方の開口周縁部１０ｂに固定されるフロントブラケット１２とを有している。
【００３２】
回転子３０は、ブラシ装置４０を介して、給電部Ｅと電気的に接続されるコイル２８を有しており、永久磁石１８に対向して、モータハウジング１６の内部に配されている。そのため、給電部Ｅからブラシ装置４０を介して、コイル２８に電流が供給されると、回転子３０は励磁される。すなわち、コイル２８に電流が供給されると、回転子３０には周方向に力が発生し、回転子３０が回転し、エンジンは駆動される。
【００３３】
回転子３０は、ロータコア２６と、ディスクコンミテータ３２と、ロータコア２６とディスクコンミテータ３２とが圧入されたシャフト２４とを有している。回転子３０のシャフト２４の一方の端部２４ａは、リアブラケット１４に圧入されたオイルレスメタル２２に挿入され、回転子３０のシャフト２４の他方の端部２４ｂは、フロントブラケット１２に圧入されたベアリング２０に挿入される。
【００３４】
回転子３０のシャフト２４には、ロータコア２６とディスクコンミテータ３２とが圧入されており、回転子３０は、モータハウジング１６によって回転自在に支持される。シャフト２４の他方の端部２４ｂには、ギヤ２４ｃが形成されており、エンジンのギヤ（不図示）と噛合する。そのため、回転子３０の回転に伴って、エンジンは駆動される。
【００３５】
シャフト２４に圧入されるロータコア２６は、磁性材料からなる複数のコアプレートを積層形成したものであって、Ｔ字状のティース部１２０を有している。なお、第１の実施形態において、ロータコア２６は、整流性を向上させるために、３２個のティース部１２０を有している。ただし、整流性を向上させるためには、ロータコア２６は、２５個から３５個のティース部１２０を有していれば良い。
【００３６】
積層形成されたロータコア２６は、絶縁性を確保するためにコーティング材によって被覆されている。コーティング材によって被覆されたロータコア２６のティース部１２０には、コイル２８が巻装されており、コイル２８は、コーティング材によってロータコア２６に固定される。そのため、コイル２８同士が接触する恐れはなく、コイル２８の絶縁性は確保される。なお、始動用電動機Ｍの整流性を向上させるために、コイル２８は、短節巻で、ロータコア２６のティース部１２０に巻装されている。
【００３７】
シャフト２４に圧入されるディスクコンミテータ３２は、回転子３０と一体に回転する。ディスクコンミテータ３２は、複数の扇状の導電部３６を有しており、円盤状に形成された絶縁性のベース部材３４は、扇状に形成された導電部３６を含んで、インサート成形されている。なお、ディスクコンミテータ３２には、コイル２８がヒュージングによって接続される。このため、ディスクコンミテータ３２は、ロータコア２６に巻装されたコイル２８と電気的に接続される。
【００３８】
モータハウジング１６は、円筒状に形成されたヨーク１０と、ヨーク１０の一方の開口周縁部１０ａとインロー嵌合するリアブラケット１４と、ヨーク１０の他方の開口周縁部１０ｂとインロー嵌合するフロントブラケット１２とを有している。始動用電動機Ｍは、リアブラケット１４に形成された脚部１４ｋを介して、ボルト（不図示）などによって、エンジンに固定される。
【００３９】
ヨーク１０は、鉄などの磁性材によって円筒状に形成されており、ヨーク１０には、複数の永久磁石１８が磁極を交互にして配設されている。ヨーク１０の一方の開口周縁部１０ａは、リアブラケット１４とインロー嵌合し、ヨーク１０の他方の開口周縁部１０ｂは、フロントブラケット１２とインロー嵌合する。そのため、ヨーク１０の開口周縁部１０ａ、１０ｂは、肉薄に形成されている。
【００４０】
ヨーク１０の他方の開口周縁部１０ｂにインロー嵌合されたフロントブラケット１２には、ボルト１１４が挿入される。ボルト１１４は、ヨーク１０を介して、リアブラケット１４に形成されたボルト孔１２２に螺入される。すなわち、ヨーク１０と、リアブラケット１４と、フロントブラケット１２とは、ボルト１１４によって一体化され、始動用電動機Ｍを構成する。なお、ヨーク１０の一方の開口周縁部１０ａとリアブラケット１４の開口周縁部１４ａとの間には、ゴム製の角リング１１６が配されており、ヨーク１０の他方の開口周縁部１０ｂとフロントブラケット１２の開口周縁部１２ａとの間には、ゴム製の角リング１１６が配されている。すなわち、角リング１１６によって、ヨーク１０とリアブラケット１４の間はシールされ、ヨーク１０とフロントブラケット１２との間は、シールされる。そのため、モータハウジング１６の内部には、外部から水等が浸入することはない。
【００４１】
フロントブラケット１２は、アルミダイキャストによって碗状に形成されており、ヨーク１０の一方の開口周縁部１０ｂとインロー嵌合する。そのため、フロントブラケット１２の開口周縁部１２ａは、肉薄に形成されている。フロントブラケット１２には、筒形状のボス部１２ｂが形成されており、ボス部１２ｂには、Ｏリング１１２が固定されている。そのため、エンジンに取り付けられた始動用電動機Ｍは、Ｏリング１１２によってシールされる。
【００４２】
フロントブラケット１２には、ベアリング２０とオイルシール１０９とが圧入されている。そのため、モータハウジング１６の内部には、エンジンオイルが浸入することはない。また、フロントブラケット１２に圧入されたベアリング２０には、回転子３０のシャフト２４の他方の端部２４ｂが挿入される。そのため、回転子３０は、フロントブラケット１２によって回転自在に支持される。
【００４３】
リアブラケット１４は、アルミダイキャストによって碗状に形成されており、ヨーク１０の一方の開口周縁部１０ａとインロー嵌合する。そのため、リアブラケット１４の開口周縁部１４ａは、肉薄に形成されている。なお、第１の実施形態において、リアブラケット１４は、小型に形成されている。具体的には、リアブラケット１４の外径は、６０ｍｍから６８ｍｍの範囲内に設定されている。
【００４４】
リアブラケット１４は、回転子３０と電気的に接続される給電部Ｅと、ブラシ装置４０とを有している。給電部Ｅは、リアブラケット１４に固定されたターミナルボルト１００を有しており、ターミナルボルト１００は、不図示の外部電源と接続される。ブラシ装置４０は、ブラシホルダ４２と、ブラシホルダ４２上に形成された複数のブラシ収容部４８とを有しており、ブラシ収容部４８に収容された複数のブラシ部材５０、５６は、ディスクコンミテータ３２の導電部３６と摺接する。
【００４５】
給電部Ｅは、ターミナルボルト１００を有している。ターミナルボルト１００は、リアブラケット１４の内側からブラシ装置４０を介して、リアブラケット１４に形成された貫通孔１０６に挿入される。貫通孔１０６に挿入されたターミナルボルト１００には、リアブラケット１４の外側からナット１０８が螺入される。したがって、ターミナルボルト１００は、ナット１０８によってリアブラケット１４に固定される。
【００４６】
リアブラケット１４の中央には、円筒形状のボス部１４ｂが突出形成されており、ボス部１４ｂには、オイルレスメタル２２が圧入されている。ボス部１４ｂに圧入されたオイルレスメタル２２には、回転子３０のシャフト２４の一方の端部２４ａが挿入される。すなわち、回転子３０は、リアブラケット１４によって回転自在に支持される。
【００４７】
ブラシ装置４０の詳細を、図２から図８を参照して説明する。リアブラケット１４に固定されるブラシ装置４０は、ターミナルボルト１００と電気的に接続された正極ターミナルプレート７０（第１のターミナルプレート）と、リアブラケット１４と電気的に接続された負極ターミナルプレート８０（第２のターミナルプレート）と、ターミナルプレート７０、８０を有するブラシホルダ４２と、正極ターミナルプレート７０と接続され、ディスクコンミテータ３２に摺接する正極ブラシ部材５０（第１のブラシ部材）と、負極ターミナルプレート８０と接続され、ディスクコンミテータ３２に摺接する負極ブラシ部材５６（第２のブラシ部材）と、ブラシホルダ４２上に形成され、ブラシ部材５０、５６を有するブラシ収容部４８とを有している。
【００４８】
ブラシホルダ４２上に形成された各ブラシ収容部４８には、正極ブラシ部材５０と、負極ブラシ部材５６とが、周方向において交互に収容される。正極ブラシ部材５０は、正極ターミナルプレート７０にスポット溶接されるピグテール１１０を有しており、負極ブラシ部材５６は、負極ターミナルプレート８０にスポット溶接されるピグテール１１０を有している。
【００４９】
正極ターミナルプレート７０に形成された貫通孔７６には、ターミナルボルト１００が挿入され、ターミナルボルト１００は、正極ターミナルプレート７０とブラシホルダ４２を介して、リアブラケット１４に固定される。また、負極ターミナルプレート８０に形成された貫通孔８６には、螺子１０４が挿入され、螺子１０４は、負極ターミナルプレート８０を介して、リアブラケット１４に螺入される。すなわち、ブラシ装置４０は、外部電源と接続されるターミナルボルト１００と、リアブラケット１４に螺入される螺子１０４とによって、リアブラケット１４に固定される。
【００５０】
したがって、外部電源と電気的に接続されたターミナルボルト１００は、ターミナルボルト１００と当接する正極ターミナルプレート７０に電流を供給する。ターミナルボルト１００から電流が供給された正極ターミナルプレート７０は、正極ターミナルプレート７０に接続された正極ブラシ部材５０に電流を供給する。正極ターミナルプレート７０から電流が供給された正極ブラシ部材５０は、ディスクコンミテータ３２を介して、コイル２８に電流を供給する。
【００５１】
正極ブラシ部材５０から電流が供給されたコイル２８は、ディスクコンミテータ３２を介して、負極ブラシ部材５６に電流を供給する。コイル２８から電流が供給された負極ブラシ部材５６は、負極ブラシ部材５６が接続された負極ターミナルプレート８０に電流を供給する。負極ブラシ部材５６から電流が供給された負極ターミナルプレート８０は、負極ターミナルプレート８０に当接する螺子１０４に電流を供給する。負極ターミナルプレート８０から電流が供給された螺子１０４は、リアブラケット１４に電流を供給する。螺子１０４から電流が供給されたリアブラケット１４は、リアブラケット１４の脚部１４ｋを介して、不図示の車体に電流を供給する。
【００５２】
ブラシホルダ４２は、ターミナルプレート７０、８０の双方を含んで、インサート成形されている。なお、第１の実施形態では、ターミナルプレート７０、８０は、プレス加工によって形成された金属板である。また、ブラシホルダ４２は、リアブラケット１４に形成されたボス部１４ｂを外嵌する円筒部４４と、円筒部４４の一方の端部に形成され、リアブラケット１４の底面に当接するフランジ部４６と、円筒部４４を囲んでフランジ部４６上に形成された複数のブラシ収容部４８とを有している。ブラシ収容部４８には、正極ブラシ部材５０と負極ブラシ部材５６とが交互に収容されており、ブラシ部材５０、５６は、カーボン材等によってそれぞれ同一の形状に形成されている。なお、ブラシ部材５０、５６は、ブラシ収容部４８に収容された圧縮コイルばね６２（図３参照）によって付勢され、ディスクコンミテータ３２の導電部３６に摺接する。
【００５３】
ブラシホルダ４２のフランジ部４６の外径は、リアブラケット１４の内径よりも小さく形成されている。そのため、フランジ部４６とリアブラケット１４の内周面とが接触することはない。また、ブラシホルダ４２のフランジ部４６には、６個のブラシ収容部４８がブラシ装置４０の中心位置Cから、同一の距離だけ離れた位置に配されている。なお、ブラシ収容部４８は、周方向において等間隔に配置され、円筒部４４の周囲を囲んでいる。
第１の実施形態では、ブラシホルダ４２のフランジ部４６には、６個のブラシ収容部４８が形成されており、各ブラシ収容部４８には、３個の正極ブラシ部材５０と、３個の負極ブラシ部材５６とが、周方向において交互に収容されている。また、ブラシホルダ４２は、ターミナルプレート７０、８０の双方を含んで、インサート成形されており、正極ターミナルプレート７０は、負極ターミナルプレート８０と接触することなく、ブラシホルダ４２に配置されている。
【００５４】
また、ブラシホルダ４２のフランジ部４６には、円形に肉抜きされた複数の開口部９０が形成されている。ブラシホルダ４２のフランジ部４６に形成された複数の開口部９０は、ブラシ収容部４８と同様に円周Ａ上に配置されている。ターミナルプレート７０、８０の導通接続部７２、７４、８２、８４は、各々、フランジ部４６に形成された開口部９０が形成された位置に配置される。したがって、各導通接続部７２、７４、８２、８４は、ブラシホルダ４２のフランジ部４６の内部に埋没することなく、フランジ部４６の外部に露出する。そして、各導通接続部７２、７４、８２、８４は、スポット溶接により、ブラシ部材５０、５６と接続される。
【００５５】
図５、図７に示されるように、正極ターミナルプレート７０は、平面視Ｃ字状に形成されており、本体部７０Ａと、本体部７０Ａの一方から延出形成された脚部７０Ｂ（第１の脚部）と、本体部７０Ａの他方から延出形成された脚部７０Ｃ（第１の脚部）とを有している。正極ターミナルプレート７０の脚部７０Ｂの先端には、略円状の導通接続部７２（第１の導通接続部）が形成されており、正極ターミナルプレート７０の脚部７０Ｃの先端には、略円状の導通接続部７４（第１の導通接続部）が形成されている。正極ターミナルプレート７０の本体部７０Ａは、脚部７０Ｂ、７０Ｃよりも幅広に形成されており、本体部７０Ａの略中央には、貫通孔７６が形成されている。正極ターミナルプレート７０の本体部７０Ａに形成された貫通孔７６には、ターミナルボルト１００（図１、図５参照）が挿入される。そのため、外部電源と接続されるターミナルボルト１００は、正極ターミナルプレート７０と、電気的に接続される。
【００５６】
正極ターミナルプレート７０の本体部７０Ａと導通接続部７２との間の脚部７０Ｂには、脚部７０Ｂを板厚方向の段違い形状にする屈曲部７０Ｄ（第１の屈曲部）が形成されており、正極ターミナルプレート７０の本体部７０Ａと導通接続部７４との間の脚部７０Ｃには、脚部７０Ｃを板厚方向の段違い形状にする屈曲部７０Ｅ（第２の屈曲部）が形成されている。なお、正極ターミナルプレート７０は、プレス加工により形成されているため、屈曲部７０Ｄ、７０Ｅは、新たな加工を施すことなく形成される。正極ターミナルプレート７０に形成された屈曲部７０Ｄと本体部７０Ａとの間の脚部７０Ｂには、基端部７０Ｈ（第１の基端部）が形成されており、正極ターミナルプレート７０に形成された屈曲部７０Ｅと本体部７０Ａとの間の脚部７０Ｃには、基端部７０Ｉ（第１の基端部）が形成されている。
【００５７】
図５、図８に示されるように、負極ターミナルプレート８０は、平面視Ｃ字状に形成されており、本体部８０Ａと、本体部８０Ａの一方から延出形成された脚部８０Ｂ（第２の脚部）と、本体部８０Ａの他方から延出形成された脚部８０Ｃ（第２の脚部）とを有している。負極ターミナルプレート８０の脚部８０Ｂの先端には、略円状の導通接続部８２（第２の導通接続部）が形成されており、負極ターミナルプレート８０の脚部８０Ｃの先端には、略円状の導通接続部８４（第２の導通接続部）が形成されている。
【００５８】
負極ターミナルプレート８０の本体部８０Ａは、脚部８０Ｂ、８０Ｃよりも幅広に形成されており、本体部８０Ａの略中央には、貫通孔８６が形成されている。本体部８０Ａに形成された貫通孔８６には、螺子１０４（図２参照）が挿入され、螺子１０４は、リアブラケット１４に螺入される。したがって、リアブラケット１４と負極ターミナルプレート８０とは、螺子１０４を介して、電気的に接続される。
【００５９】
負極ターミナルプレート８０の本体部８０Ａと導通接続部８２との間の脚部８０Ｂには、脚部８０Ｂを板厚方向の段違い形状にする屈曲部８０Ｄ（第２の屈曲部）が形成されており、負極ターミナルプレート８０の本体部８０Ａと導通接続部８４との間の脚部８０Ｃには、脚部８０Ｃを板厚方向の段違い形状にする屈曲部８０Ｅ（第２の屈曲部）が形成されている。なお、負極ターミナルプレート８０は、プレス加工により形成されているため、屈曲部８０Ｄ、８０Ｅは、新たな加工を施すことなく形成される。負極ターミナルプレート８０に形成された屈曲部８０Ｄと本体部８０Ａとの間の脚部８０Ｂには、基端部８０Ｈ（第２の基端部）が形成されており、負極ターミナルプレート８０に形成された屈曲部８０Ｅと本体部８０Ａとの間の脚部８０Ｃには、基端部８０Ｉ（第２の基端部）が形成されている。
【００６０】
図３は、図２のＢ−Ｂ断面図である。図６に示されるように、正極ターミナルプレート７０の導通接続部７２、７４が配置された第１の仮想平面Ａ１と、正極ターミナルプレート７０の基端部７０Ｈ、７０Ｉが配置された第２の仮想平面Ａ２とは、予め定められた距離Ｈｐだけ軸方向において離れている。なお、正極ターミナルプレート７０と負極ターミナルプレート８０との接触を防止するため、第１の仮想平面Ａ１と第２の仮想平面Ａ２との間の距離Ｈｐは、負極ターミナルプレート８０の板厚Ｔｎ（図６参照）より大きい値に設定されている。また、負極ターミナルプレート８０の板圧Ｔｎは、正極ターミナルプレートの板圧Ｔｐと略等しい値に設定されている。
【００６１】
負極ターミナルプレート８０の導通接続部８２、８４が配置された第３の仮想平面Ａ３と、負極ターミナルプレート８０の基端部８０Ｈ、８０Ｉが配置された第４の仮想平面Ａ４とは、予め定められた距離Ｈｎだけ軸方向において離れている。なお、負極ターミナルプレート８０と正極ターミナルプレート７０との接触を防止するため、第３の仮想平面Ａ３と第４の仮想平面Ａ４との間の距離Ｈｎは、正極ターミナルプレート７０の板厚Ｔｐ（図６参照）より大きい値に設定されている。
【００６２】
なお、図３、図６に示されるように、正極ターミナルプレート７０の導通接続部７２、７４が配置された第１の仮想平面Ａ１と、負極ターミナルプレート８０の導通接続部８２、８４が配置された第３の仮想平面Ａ３とは、同一の平面上に形成される。すなわち、第１の仮想平面Ａ１と第２の仮想平面Ａ２との間の距離Ｈｐと、第３の仮想平面Ａ３と第４の仮想平面Ａ４との間の距離Ｈｐとは、等しい値に設定されている。そのため、正極ターミナルプレート７０の導通接続部７２、７４は、負極ターミナルプレート８０の脚部８０Ｂ、８０Ｃから、十分に離れた位置に配置することができ、負極ターミナルプレート８０の導通接続部８２、８４は、正極ターミナルプレート７０の脚部７０Ｂ、７０Ｃから、十分に離れた位置に配置することができる。すなわち、正極ターミナルプレート７０と負極ターミナルプレート８０との電気的な短絡は、確実に回避される。
【００６３】
図５に示されるように、正極ターミナルプレート７０の本体部７０Ａは、負極ターミナルプレート８０の本体部８０Ａと対向する位置に配置される。負極ターミナルプレート８０の脚部８０Ｂは、正極ターミナルプレート７０の脚部７０Ｂの基端部７０Ｈを跨いでおり、負極ターミナルプレート８０の脚部８０Ｃは、正極ターミナルプレート７０の脚部７０Ｃの基端部７０Ｉを跨いでいる。したがって、負極ターミナルプレート８０の導通接続部８２、８４は、正極ターミナルプレート７０の脚部７０Ｂ、７０Ｃが配置された位置よりも、径方向内側の位置に配置される。
【００６４】
また、正極ターミナルプレート７０の導通接続部７２、７４は、負極ターミナルプレート８０の脚部８０Ｂ、８０Ｃが配置された位置よりも、径方向内側の位置に配置される。すなわち、正極ターミナルプレート７０の導通接続部７２、７４は、負極ターミナルプレート８０の脚部８０Ｂ、８０Ｃと軸方向において重ならず、負極ターミナルプレート８０の導通接続部８２、８４は、正極ターミナルプレート７０の脚部７０Ｂ、７０Ｃと軸方向において重ならない。
【００６５】
換言すると、正極ターミナルプレート７０と負極ターミナルプレート８０は、ブラシホルダ４２の径方向に延在して互いに交差する交差部分１３０、１３２を含み、当該交差部分１３０、１３２において、ブラシホルダ４２の軸線方向に互いに間隙を有して非接触状態の配置になっている。
【００６６】
本実施形態では、負極ターミナルプレート８０の脚部８０Ｂ、８０Ｃの屈曲部８０Ｄ、８０Ｅより導通接続部８２、８４の側、つまり段違いの高い側が、正極ターミナルプレート７０の脚部７０Ｂ、７０Ｃの屈曲部７０Ｄ、７０Ｅより本体部８０Ａの側、つまり段違いの低い側の上方を、径方向外方から径方向内方に跨いでいる。この跨ぎにより、導通接続部８２、８４が脚部７０Ｂ、７０Ｃより径方向内方に位置している。この跨ぎ部分が交差部分１３０、１３２であり、図６に示されているように、脚部７０Ｂ、７０Ｃの段差低位側と脚片部８０Ｂ、８０Ｃの段差低位側とが同一高さ位置にあり、脚部７０Ｂ、７０Ｃの段差高位側と脚片部８０Ｂ、８０Ｃの段差高位側とが同一高さ位置にあり、Ｈｎ＞Ｔｐ、Ｈｐ＞Ｔｎであることにより、交差部分１３０、１３２において、Ｈｎ−Ｔｐ、Ｈｐ−Ｔｎの間隙を確保できる。
【００６７】
なお、ブラシホルダ４２のフランジ部４６には、ターミナルプレート７０、８０の導通接続部７２、７４、８２、８４が配置された位置に、円形に肉抜きされた開口部９０が形成されている。そのため、ターミナルプレート７０、８０の導通接続部７２、７４、８２、８４は、各々、ブラシホルダ４２の外部に露出している。したがって、ターミナルプレート７０、８０の導通接続部７２、７４、８２、８４とピグテール１１０とを、スポット溶接により、接続することが可能となる。
【００６８】
さらに、第１の仮想平面Ａ１と第２の仮想平面Ａ２との間の距離Ｈｐと、第３の仮想平面Ａ３と第４の仮想平面Ａ４との間の距離Ｈｎとは、等しい値に設定されている。また、ターミナルプレート７０、８０の導通接続部７２、７４、８２、８４は、各々、ブラシ収容部４８と同様に円周Ａ上に配される。したがって、ターミナルプレート７０、８０の導通接続部７２、７４、８２、８４とピグテール１１０とのスポット溶接が容易にすることができる。また、ターミナルプレート７０、８０の導通接続部７２、７４、８２、８４とピグテール１１０とのスポット溶接を自動化することも可能になる。
【００６９】
第１の実施形態では、負極ターミナルプレート８０の脚部８０Ｂ、８０Ｃは、正極ターミナルプレート７０の脚部７０Ｂ、７０Ｃの外側に配置される。したがって、正極ターミナルプレート７０の脚部７０Ｂ、７０Ｃは、負極ターミナルプレート８０の脚部８０Ｂ、８０Ｃよりも、リアブラケット１４の内側寄りに配置される。すなわち、正極ターミナルプレート７０Ｂとリアブラケット１４との電気的な短絡は、回避される。
【００７０】
また、第１の実施形態では、ターミナルプレート７０、８０の導通接続部７２、７４、８２、８４は、各々、ブラシ収容部４８と同様に円周Ａ上に配置されており、第１の仮想平面Ａ１と第３の仮想平面Ａ３とは、同一の平面上に配置される。ターミナルプレート７０、８０が配置されたブラシホルダ４２のフランジ部４６には、６個のブラシ収容部４８が周方向において等間隔に形成されている。ブラシ収容部４８の間には、円形に肉抜き形成された開口部９０が形成されており、開口部９０には、ターミナルプレート７０、８０の導通接続部７２、７４、８２、８４が、各々、配置されている。また、ターミナルプレート７０、８０の導通接続部７２、７４、８２、８４は、ブラシ収容部４８と同様に円周Ａ上に配置されている。すなわち、ターミナルプレート７０、８０の導通接続部７２、７４、８２、８４が、ブラシホルダ４２の中心寄りに配置されるため、ブラシ装置４０を小型化することができる。
【００７１】
また、正極ターミナルプレート７０の本体部７０Ａは、周方向において負極ターミナルプレート８０の導通接続部８２、８４の間に配されており、負極ターミナルプレート８０の本体部８０Ａと導通接続部７２、７４の間に配されている。そのため、ブラシ装置４０が大型化することなく、正極ターミナルプレート７０と負極ターミナルプレート８０との電気的な短絡を回避した上で、正極ブラシ部材５０と負極ブラシ部材５６とを、周方向において、交互に配置することができ、整流性に優れた始動用電動機Ｍを提供することができる。
【００７２】
正極ターミナルプレート７０の本体部７０Ａに形成された貫通孔７６には、外部電源と接続されるターミナルボルト１００が挿入され、ターミナルボルト１００には、正極ブラシ部材５０のピグテール１１０が接続されている。ターミナルボルト１００の頭部１０２は、平面視略五角形状に形成されている。そのため、ターミナルボルト１００は、ブラシ収容部４８の壁面に沿って正極ターミナルプレート７０の本体部７０Ａに形成された貫通孔７６に挿入される。
【００７３】
正極ターミナルプレート７０の本体部７０Ａは、略三角形状の突出部７７が形成されている。そのため、ターミナルボルト１００が挿入される貫通孔７６は、正極ターミナルプレート７０の突出部７７の先端寄りに形成される。また、ブラシホルダ４２の外部に露出正極ターミナルプレート７０の本体部７０Ａに形成された突出部７７は、円周Ａ上に配置される。したがって、ターミナルボルト１００をブラシホルダ４２の中心側に配置した場合であっても、ターミナルボルト１００の頭部１０２は、樹脂材などによって阻害されることなく、正極ターミナルプレート７０の本体部７０Ａに当接する。
【００７４】
さらに、ブラシ装置４０の中心位置Ｃからターミナルボルト１００までの距離は、ブラシ装置４０の中心位置Ｃからターミナルプレート７０、８０の導通接続部７２、７４、８２、８４までの間の距離と等しくなる。すなわち、ターミナルボルト１００に接続されるピグテール１１０の長さは、ターミナルプレート７０、８０の導通接続部７２、７４、８２、８４に接続されるピグテール１１０の長さと等しくなる。そのため、同一の長さのピグテール１１０を使用することができ、容易に部品管理をすることができる。
【００７５】
負極ターミナルプレート８０の本体部８０Ａは、ブラシホルダ４２に埋没することなく、ブラシホルダ４２の外部に露出しており、正極ターミナルプレート７０の本体部７０Ａとブラシ装置４０の中心位置Ｃを中心にして、対称となる位置に配置されている。負極ターミナルプレート８０の本体部８０Ａには、負極ブラシ部材５６のピグテール１１０が接続されている。なお、負極ターミナルプレート８０の本体部８０Ａは、第４の仮想平面Ａ４から、第３の仮想平面Ａ３と第４の仮想平面Ａ４との間の距離Ｈｎよりも離れた位置に配されている。そのため、リアブラケット１４には、螺子１０４が螺入されるための螺子孔（不図示）を形成することができる。
【００７６】
上述の如く、第１の実施形態のブラシ装置４０において、負極ターミナルプレート８０の導通接続部８２、８４は、正極ターミナルプレート７０の脚部７０Ｂ、７０Ｃを跨いで配置されている。そのため、負極ターミナルプレート８０の基端部８０Ｈ、８０Ｉが配置された第２の仮想平面Ａ２と、正極ターミナルプレート７０の基端部７０Ｈ、７０Ｉが配置された第４の仮想平面Ａ４とを同一の平面上に配置した場合であっても、負極ターミナルプレート８０は、正極ターミナルプレート７０に接触することなく配置される。すなわち、負極ターミナルプレート８０は、正極ターミナルプレート７０に近接する位置に配置されるため、ブラシ装置４０の軸方向の寸法を短くすることができる。
【００７７】
また、負極ターミナルプレート８０は、正極ターミナルプレート７０に近接して配置されるため、正極ターミナルプレート７０と負極ターミナルプレート８０との間には、樹脂が介在する。すなわち、正極ターミナルプレート７０と負極ターミナルプレート８０の電気的な短絡は、確実に回避される。さらに、ターミナルプレート７０、８０とをブラシホルダ４２に組み付ける作業を省略することができ、生産性は向上する。
【００７８】
正極ターミナルプレート７０の導通接続部７２、７４が配置された第１の仮想平面Ａ１と、負極ターミナルプレート８０の導通接続部８２、８４が配置された第３の仮想平面Ａ３とは、同一の平面上に配されている。また、ターミナルプレート７０、８０の各導通接続部７２、７４、８２、８４は、６個のブラシ収容部４８と同様に円周Ａ上に配置される。そのため、ブラシ部材５０、５６と導通接続部７２、７４、８２、８４とを、容易にスポット溶接することができる。
【００７９】
また、正極ターミナルプレート７０の導通接続部７２、７４と負極ターミナルプレート８０の導通接続部８２、８４とは、６個のブラシ収容部４８と同様に円周Ａ上に配置される。そのため、正極ターミナルプレート７０の導通接続部７２、７４は、正極ブラシ部材５０と近接する位置に配置され、負極ターミナルプレート８０の導通接続部８２、８４は、負極ブラシ部材５６と近接する位置に配置される。すなわち、ターミナルプレート７０、８０の導通接続部７２、７４、８２、８４が、ブラシ収容部４８の間に配置され、ブラシ装置４０は小型化される。
【００８０】
なお、第１の実施形態では、正極ターミナルプレート７０は、本体部７０Ａと脚部７０Ｂ、７０Ｃとが一体形成された１部品で構成され、負極ターミナルプレート８０は、本体部８０Ａと脚部８０Ｂ、８０Ｃとが一体形成された１部品で構成されている。しかしながら、図９に示されるように、第２の実施形態では、正極ターミナルプレート７０を、本体部７０Ａと脚部７０Ｂとを有する第１の正極ターミナルプレート７０Ｊと、本体部７０Ａと脚部７０Ｃとを有する第２の正極ターミナルプレート７０Ｋとの２物品によって構成しても良い。同様に、図１０に示されるように、負極ターミナルプレート８０を、本体部８０Ａと脚部８０Ｂとが一体形成された第１の負極ターミナルプレート８０Ｊと、本体部８０Ａと脚部８０Ｃとが一体形成された第２の負極ターミナルプレート８０Ｋとの２物品によって構成しても良い。この様に構成することで、正極ターミナルプレート７０と、負極ターミナルプレート８０とは、歩留まり良く生産される。
【００８１】
また、第１の実施形態では、正極ターミナルプレート７０と、負極ターミナルプレート８０とを異なる形状で形成した場合を示した。しかしながら、図１１に示すように、第３の実施形態では、正極ターミナルプレート７０と、負極ターミナルプレート８０とを、同一の形状で形成しても良い。この様に構成することで、ターミナルプレート７０、８０は、歩留まり良く生産される。さらに、正極ターミナルプレート７０の一方の脚部７０Ｂに形成された導通接続７２は、負極ターミナルプレート８０の一方の脚部８０Ｂを跨いで配置され、負極ターミナルプレートの他方の脚部８０Ｂに形成された導通接続部８４は、正極ターミナルプレート７０の他方の脚部７０Ｃを跨いで配置される。このように構成することで、上述の実施形態と同様に、６個のブラシを配置し、小型でかつ安全性に優れたブラシ装置４０、および始動用電動機Ｍを提供することができる。
【００８２】
また、第１の実施形態では、ターミナルプレート７０、８０の導通接続部７２、７４、８２、８４を同一の仮想平面上に配置した場合を示した。しかしながら、図１２に示すように、第４の実施形態では、負極ターミナルプレート８０の本体部８０Ａとターミナルボルト１００とは、ターミナルプレート７０、８０の導通接続部７２、７４、８２、８４が配置された仮想平面Ａ１、Ａ３上に配置されている。また、ターミナルボルト１００の頭部１０２の高さＨｔは、第１仮想平面Ａ１と第２仮想平面Ａ２との間の距離Ｈｐと等しい値に、設定されている。この様にすることで、ブラシ部材５０、５６からターミナルプレート７０、８０までの距離を全て等しくすることが可能となり、ピグテール１１０の長さは、全て同一になる。そのため、部品管理が容易になる。
【符号の説明】
【００８３】
１０  ヨーク
１２  フロントブラケット
１４  リアブラケット
１４  リアブラケット
１６  モータハウジング
１８  永久磁石
２０  ベアリング
２２  オイルレスメタル
２４  シャフト
２６  ロータコア
２８  コイル
３０  回転子
３２  ディスクコンミテータ
４０  ブラシ装置
４２  ブラシホルダ
４４  円筒部
４６  フランジ部
４８  ブラシ収容部
５０  正極ブラシ部材
７０  正極ターミナルプレート（第１のターミナルプレート）
７０Ａ  本体部（第１の本体部）
７０Ｂ、７０Ｃ  脚部（第１の脚部）
７０Ｄ、７０Ｅ  屈曲部（第１の屈曲部）
７０Ｈ、７０Ｉ  基端部（第１の基端部）
７０Ｊ  第１の正極ターミナルプレート
７０Ｋ  第２の正極ターミナルプレート
７２、７４  導通接続部（第１の導通接続部）
８０ 負極ターミナルプレート（第２のターミナルプレート）
８０Ａ  本体部（第２の本体部）
８０Ｂ、８０Ｃ  脚部（第２の脚部）
８０Ｄ、８０Ｅ  屈曲部（第２の屈曲部）
８０Ｈ、８０Ｉ  基端部（第２の基端部）
８０Ｊ  第１の負極ターミナルプレート
８０Ｋ  第２の負極ターミナルプレート
８２、８４  導通接続部（第２の導通接続部）
９０ 肉抜きされた開口部
１００  ターミナルボルト
１０２  ターミナルボルトの頭部
１０４  螺子
１１０  ピグテール
１３０、１３２  交差部分
Ａ  円周
Ａ１  導通接続部７２、７４が配置された第１の仮想平面
Ａ２  基端部７０Ｈ、７０Ｉが配置された第２の仮想平面
Ａ３  導通接続部８２、８４が配置された第３の仮想平面
Ａ４  基端部８０Ｈ、８０Ｉが配置された第４の仮想平面
Ｃ  ブラシ装置４０の中心位置
Ｈｎ  第３の仮想平面Ａ３と第４の仮想平面Ａ４との間の距離
Ｈｐ  第１の仮想平面Ａ１と第２の仮想平面Ａ２との間の距離
Ｍ  始動用電動機
Ｔｎ  負極ターミナルプレートの板厚
Ｔｐ  正極ターミナルプレートの板厚
【図１】
2010166785.tif 000003
【図２】
2010166785.tif 000004
【図３】
2010166785.tif 000005
【図４】
2010166785.tif 000006
【図５】
2010166785.tif 000007
【図６】
2010166785.tif 000008
【図７】
2010166785.tif 000009
【図８】
2010166785.tif 000010
【図９】
2010166785.tif 000011
【図１０】
2010166785.tif 000012
【図１１】
2010166785.tif 000013
【図１２】
2010166785.tif 000014